(57)【特許請求の範囲】
【請求項１】
容器に装着され、内容液を吸い上げるポンプ本体と、ポンプ本体の上部に装着され、内容液を吐出するノズルヘッドとからなる吐出ポンプにおいて、
ポンプ本体は、容器体の口筒部に装着する取付キャップと、上部にノズルヘッドを装着するステムとを具え、
ノズルヘッドは、ポンプ本体のステムの上部に装着される押下げ頭部と、押下げ頭部の側周上部の所定の位置に配設された吐出ノズルとを具え、
押下げ頭部の側周上部に連設リブが複数設けられ、吐出ノズルの中間部と内周に、連設リブのそれぞれの先端を連結して、押下げ頭部を囲むように円形に形成される押圧リングが設けられていることを特徴とする吐出ポンプ。
【請求項２】
容器に装着され、内容液を吸い上げるポンプ本体と、ポンプ本体の上部に装着され、内容液を吐出するノズルヘッドと、ノズルヘッドの上部に着脱自在に装着される押圧リング部材とからなる吐出ポンプにおいて、
ポンプ本体は、容器体の口筒部に装着する取付キャップと、上部にノズルヘッドを装着するステムとを具え、
ノズルヘッドは、ポンプ本体のステムの上部に装着される押下げ頭部と、押下げ頭部の側周上部の所定の位置に配設された吐出ノズルを具え、
押圧リング部材は、ノズルヘッドの押下げ頭部の上部に装着される装着部と、装着部の側面に複数連結される連設リブと、内周に連設リブのそれぞれの先端を連結して、装着部を囲むように円形に形成される押圧リングを具え、
押圧リングには、吐出ノズルに係合する係合部を具えていることを特徴とする吐出ポンプ。
【請求項３】
押圧リングの係合部は、吐出ノズルを先端から挿入する挿入孔が形成されていることを特徴とする請求項２記載の吐出ポンプ。
【請求項４】
押圧リングの係合部は、吐出ノズルの外周上部と係合する係合凹部が形成されていることを特徴とする請求項２記載の吐出ポンプ。
【発明の詳細な説明】
【技術分野】
【０００１】
本発明は、シャンプー、リンス、乳液、化粧品等の液体を吐出するのに適した吐出ポンプに関するものである。
【背景技術】
【０００２】
シャンプー、リンス、乳液、化粧品等の内容液を充填した容器と、容器に装着され、内容液を吸い上げ、内容液を吐出する吐出ポンプとからなる吐出容器において、容器内の内容液を使用し終わった後に、容器から吐出ポンプを外し、容器内に内容液を充填するか、または、内容液を充填した新しい容器に取り替えるなどして、吐出容器として使用を再開するようにした内容液詰め替え容器は、従来より知られている（例えば、特許文献１参照）。
【先行技術文献】
【特許文献】
【０００３】
【特許文献１】特開２００８−５００５８号公報
【発明の概要】
【発明が解決しようとする課題】
【０００４】
しかしながら、上記特許文献１記載のものでは、内容液を詰め替えるために、吐出ポンプを容器から外した後に、吐出ポンプを寝かしておくことになり、吐出ポンプが転がり、吐出ポンプの吸上げパイプに付着した内容液が流出し、周りを汚すという問題があった。
【０００５】
本発明は、上記問題を解決することを課題とし、容器から吐出ポンプを外した際に、吐出ポンプが転がらないようにした吐出ポンプを提供することを目的とする。
【課題を解決するための手段】
【０００６】
本発明は、上記課題を解決するため、吐出ポンプとして、容器に装着され、内容液を吸い上げるポンプ本体と、ポンプ本体の上部に装着され、内容液を吐出するノズルヘッドとからなる吐出ポンプにおいて、ポンプ本体は、容器体の口筒部に装着する取付キャップと、上部にノズルヘッドを装着するステムとを具え、ノズルヘッドは、ポンプ本体のステムの上部に装着される押下げ頭部と、押下げ頭部の側周上部の所定の位置に配設された吐出ノズルとを具え、押下げ頭部の側周上部に連設リブが複数設けられ、吐出ノズルの中間部と内周に、連設リブのそれぞれの先端を連結して、押下げ頭部を囲むように円形に形成される押圧リングが設けられていることを特徴とする構成を採用する。
【０００７】
吐出ポンプの別実施例として、容器に装着され、内容液を吸い上げるポンプ本体と、ポンプ本体の上部に装着され、内容液を吐出するノズルヘッドと、ノズルヘッドの上部に着脱自在に装着される押圧リング部材とからなる吐出ポンプにおいて、ポンプ本体は、容器体の口筒部に装着する取付キャップと、上部にノズルヘッドを装着するステムとを具え、ノズルヘッドは、ポンプ本体のステムの上部に装着される押下げ頭部と、押下げ頭部の側周上部の所定の位置に配設された吐出ノズルを具え、押圧リング部材は、ノズルヘッドの押下げ頭部の上部に装着される装着部と、装着部の側面に複数連結される連設リブと、内周に連設リブのそれぞれの先端を連結して、装着部を囲むように円形に形成される押圧リングを具え、押圧リングには、吐出ノズルに係合する係合部を具えていることを特徴とする構成を採用する。
【０００８】
押圧リング部材における押圧リングの実施例として、押圧リングの係合部は、吐出ノズルを先端から挿入する挿入孔が形成されていることを特徴とする構成、或いは、押圧リングの係合部は、吐出ノズルの外周上部と係合する係合凹部が形成されていることを特徴とする構成を採用する。
【発明の効果】
【０００９】
容器に装着される吐出ポンプにおいて、吐出ポンプが、容器に装着されるとともに内容液を吸い上げるポンプ本体と、ポンプ本体の上部に装着され、内容液を吐出するノズルヘッドとからなり、ノズルヘッドの押下げ頭部の上部の周りに、押下げ頭部を囲むように円形に形成される押圧リングを一体に設けるか、または、吐出ポンプが、容器に装着されるとともに内容液を吸い上げるポンプ本体と、ポンプ本体の上部に装着され、内容液を吐出するノズルヘッドと、ノズルヘッドの上部に着脱自在に装着される押圧リング部材とからなる吐出ポンプとからなり、押圧リング部材のノズルヘッドの押下げ頭部の上部に装着される装着部を囲むように円形に形成される押圧リングを設けることにより、押圧リングを介して、吐出ポンプを倒立して立てておくことができるので、吐出ポンプが転がって吸上げパイプに付着した内容液が流出し、周りを汚すことを防止することができるようになった。
【００１０】
また、押圧リングに手指等を掛けることができるので、手指等を掛ける面積が広くなり、ノズルヘッドを押下げ易くすることができるようになった。
【図面の簡単な説明】
【００１１】
【図１】本発明第１実施例の吐出ポンプの説明図で、（ａ）は上面図、（ｂ）は側面図である。
【図２】ノズルヘッドの正面図である。
【図３】吐出ポンプの倒立時の側面図である。
【図４】第２実施例の吐出ポンプの説明図で、（ａ）は上面図、（ｂ）は側面図である。
【図５】押圧リング部材の説明図で、（ａ）は下面図、（ｂ）は押圧リング部材とノズルヘッドの正面図である。
【図６】押圧リング部材の変形実施例の説明図で、（ａ）は下面図、（ｂ）は押圧リング部材とノズルヘッドの側面図である。
【図７】第３実施例の吐出ポンプの説明図で、（ａ）は上面図、（ｂ）は側面図である。
【図８】押圧リング部材の説明図で、（ａ）は下面図、（ｂ）は押圧リング部材とノズルヘッドの正面図である。
【発明を実施するための最良の形態】
【００１２】
次に、本発明の吐出ポンプについて、実施例をあげ、図面を参照して説明する。
【実施例１】
【００１３】
図１において、Ａは容器に装着され、内容液を吸い上げるポンプ本体、Ｂはポンプ本体Ａの上部に装着され、内容液を吐出するノズルヘッドである。
【００１４】
ポンプ本体Ａは、容器体の口筒部に装着する取付キャップ１と、上部にノズルヘッドＢを装着するステム２と、下方に取着される吸上げパイプ３を具えている。
ポンプ本体Ａは、ノズルヘッドＢの押下げ操作に応じて、ステム２を押下げ、ポンプ本体Ａ内の内容液をノズルヘッドＢから吐出するとともに、ノズルヘッドＢの上昇時に、吸上げパイプ３を介して容器体からポンプ本体Ａ内に内容液を吸上げるものであればよく、その内部構造は、周知の構成のものが用いられる。
【００１５】
ノズルヘッドＢは、図１、２に示すように、ポンプ本体Ａのステム２の上部に装着される押下げ頭部５と、押下げ頭部５の側周上部の所定の位置に配設された吐出ノズル６を具えている。
ノズルヘッドＢは、ノズルヘッドＢの押下げ操作に応じて、ポンプ本体Ａのステム２から吐出される内容液を、押下げ頭部５の内側と、該内側から穿孔される吐出ノズル６の内側を通し、吐出ノズル６の先端から吐出されるものであればよく、その内部構造は、周知の構成のものを用いることができる。
【００１６】
押下げ頭部５の上部の周りには、吐出ノズル６を正面側として、押下げ頭部５の側周上部の両側面側および後面側のそれぞれに連設リブ７が設けられ、吐出ノズル６の中間部辺りの両側から伸びるとともに、内周に連設リブ７のそれぞれの先端が連結され、押下げ頭部５を囲むように円形に形成される押圧リング８が設けられている。
押圧リング８は、押下げ頭部５に対して、上端が、押下げ頭部５の上面と同じ高さ付近からある程度高い位置にくるように形成されている。
押下げ頭部５と押圧リング８との間には、吐出ノズル６および連設リブ７により区画された空間が形成されている。
【００１７】
次に、本実施例の吐出ポンプの作用効果について、説明する。
ポンプ本体Ａのステム２にノズルヘッドＢを装着した本実施例の吐出ポンプは、容器体の口筒部にポンプ本体Ａの取付キャップ１を係合させることによって、容器体に脱着可能に装着することができる。
【００１８】
内容液の吐出にあたっては、ノズルヘッドＢを下方に押し下げて、ポンプ本体Ａ内の内容液を吐出ノズル６の先端から吐出し、ノズルヘッドＢから手指を外すと、ポンプ本体Ａ内のばねの作用により、ノズルヘッドＢを上方に押し上げるとともに、ポンプ本体Ａ内に容器体内の内容液を吸い上げることができる。
【００１９】
本実施例の吐出ポンプは、ノズルヘッドＢを押し下げる際に、押下げ頭部５の上面の他に、押圧リング８および連設リブ７の上端部に手指等を掛けることができるので、従来の吐出ポンプの押下げヘッドのみのノズルヘッドに比べ、手指等を掛ける面積が広くなり、ノズルヘッドを押下げ易くなっている。
【００２０】
容器体内の内容液を使用し終わった後は、ポンプ本体Ａの取付キャップ１と容器体の口筒部との係合を外し、吐出ポンプを容器体から外し、容器体に内容液を補充したり、または、容器体自体を内容液が充填された新しい容器体に取り替えたりした後、吐出ポンプを容器体に装着することによって、再度、内容液を充填した吐出容器として使用することができる。
【００２１】
吐出ポンプを容器体から外した際に、本実施例の吐出ポンプは、図３に示すように、ノズルヘッドＢの押下げ頭部５の上面および押圧リング８を下にして倒立させることができる。
本実施例の吐出ポンプは、ノズルヘッドＢの押下げ頭部５を囲むように押圧リング８が配設されているので、従来の押下げ頭部のみの吐出ポンプに比べ、安定して、倒立させることができる。
【００２２】
吐出ポンプは、押圧リングを介して倒立させて立てておくことができるので、従来のように、吐出ポンプが転がって、吸上げパイプに付着した内容液が流出し、周りを汚すことを防止することができる。
【００２３】
従来のもので、ノズルヘッドの押下げ頭部の径を大きく形成したり、押下げ頭部の上部の径を大きく形成し、なるだけ、押下げ頭部の上面を平面で広いものにして吐出ポンプを倒立して立てておくことも考えられが、押下げ頭部の上面の面積が大きくなると、容器の使用中に該上面に水などが溜まり不衛生である。
【００２４】
本実施例のノズルヘッドＢは、押圧リング８と押下げ頭部５との間に、吐出ノズル６の一部および連設リブ７を介して空間が形成されるので、空間から水などが流れ落ち、押下げ頭部５の上面に水などが溜まることを防止することができる。
【００２５】
また、押圧リング８の上面のみで倒立させることができるので、押下げ頭部５の上面を平面にしなくても良いので、押下げ頭部５の上面に水などが溜まらない凸状に形成することができ、ノズルヘッドＢの上面に水などが溜まることを防止することができる。
【００２６】
さらに、押下げ頭部５と押圧リング８との間に空間が形成されるので、ノズルヘッドを形成する際に、従来の押下げ頭部を大きくするものに比べ、空間分の材料を減らすことができて経済的である。
【実施例２】
【００２７】
次に、ノズルヘッドの押下げ頭部と押圧リングを別体とした第２実施例について説明する。
第１実施例と同一の構成については、同一の符号を用いて図示して説明を省略し、以下相違点を中心に説明する。
【００２８】
図４において、Ａは容器に装着され、内容液を吸い上げるポンプ本体、Ｂａはポンプ本体Ａの上部に装着され、内容液を吐出するノズルヘッド、Ｃはノズルヘッドの上部に着脱自在に装着される押圧リング部材である。
【００２９】
ノズルヘッドＢａは、ポンプ本体Ａのステム２の上部に装着される押下げ頭部１０と、押下げ頭部１０の側周上部の所定の位置に配設された吐出ノズル１１を具えている。
ノズルヘッドＢａは、ノズルヘッドＢａの押下げ操作に応じて、ポンプ本体Ａのステム２から吐出される内容液を、押下げ頭部１０の内側と、該内側から穿孔される吐出ノズル１１の内側を通し、吐出ノズル１１の先端から吐出されるものであればよく、その内部構造は、周知の構成のものが用いられる。
【００３０】
押圧リング部材Ｃは、図４、５に示すように、ノズルヘッドＢａの押下げ頭部１０の上部に装着される装着部１５と、押下げ頭部１０に装着した際の吐出ノズル１１を正面側として、装着部１５の両側面側および後面側のそれぞれに連結される連設リブ１６と、内周に連設リブ１６のそれぞれの先端を連結して、装着部１５を囲むように円形に形成される押圧リング１７が設けられている。
装着部１５と押圧リング１７との間には、連設リブ１６により区画された空間が形成されている。
【００３１】
装着部１５は、下面がノズルヘッドＢａの押下げ頭部１０の上面と係合する頂壁１８と、頂壁１８の外縁に垂設され、押下げ頭部１０の上部外周と係合する外周壁１９とを具えている。
【００３２】
外周壁１９の所定の位置の下部には、吐出ノズル１１の根本部の上部に接合するように下端から凹設された切欠部２０が形成され、外周壁１９の所定の位置の外周には、連設リブ１６が連設されている。
【００３３】
押圧リング１７には、押圧リング部材ＣをノズルヘッドＢａに装着した際の吐出ノズル１１側に、吐出ノズル１１を可動自在に挿入する挿入孔２１を穿設した係合部２２が形成されている。
【００３４】
次に、本実施例の吐出ポンプの作用効果について、説明する。
ノズルヘッドＢａに、押圧リング部材Ｃを装着する際には、まず、押圧リング部材Ｃの内方側から押圧リング１７の挿入孔２１に、ノズルヘッドＢａの吐出ノズル１１を先端から挿入させ、押圧リング部材Ｃを移動させていく。
【００３５】
吐出ノズル１１を、中間部付近まで押圧リング部材Ｃの係合部２２を挿入させた後、押圧リング部材Ｃの装着部１５をノズルヘッドＢａの押下げ頭部１０の上部に装着することによって、押圧リング部材ＣがノズルヘッドＢａに装着される。
【００３６】
本実施例の吐出ポンプは、押圧リング部材ＣがノズルヘッドＢａに装着されるので、上記実施例１と同様に、内容液の吐出にあたって、押圧リング部材Ｃの上面に手指等を掛けることにより、手指等を掛ける面積が広くなり、ノズルヘッドＢａを押下げ易くなり、吐出ポンプを容器体から外した際には、押圧リング部材Ｃの上面を下にし、安定して、倒立させることができる。
また、押圧リング部材Ｃに形成される空間より、水などが流れ落ち、押圧リング部材Ｃの上面に水などが溜まることを防止することができるとともに、空間分の材料を減らすことができる。
【００３７】
本実施例の吐出ポンプは、押圧リング部材Ｃが必要でなければ、ノズルヘッドＢａから取り外すことができる。
【００３８】
その際には、まず、ノズルヘッドＢａの押下げ頭部１０の上部から、押圧リング部材Ｃの装着部１５を外した後、押圧リングＣを吐出ノズル１１に対して先端方向に移動させ、押圧リング部材ＣをノズルヘッドＢａから外すことができる。
【００３９】
必要な時以外、押圧リング部材Ｃを装着しないことにより、容器としての美観を保つことができる。
【００４０】
押圧リング部材ＣをノズルヘッドＢａに対して脱着自在に装着して使用することができるので、ノズルヘッドＢａのみを装着した吐出容器に、押圧リング部材Ｃを付随させた製品とすることができる。
また、押圧リング部材Ｃのみを別途に商品とすることもできる。
【００４１】
次に、押圧リング部材の変形実施例について説明する。
前記実施例では、押圧リング１７の装着部１５を頂壁１８と外周壁１９とから形成し、装着部１５を上方からノズルヘッドＢａの押下げ頭部１０に装着している。
【００４２】
しかし、前記実施例に変え、図６に示すように、外周壁１９の下端内側に、吐出ノズル１１の反対側で１８０°を僅かに超える範囲に嵌合突部２３を設け、押下げ頭部１０には、頂壁１８から嵌合突部２３に対応する下方に嵌合突部２３に係合する嵌合溝２４を設けるようにしてもよい。
装着にあたっては、嵌合突部２３が嵌合溝２４に嵌合され、押圧リング１７と押下げ頭部１０に強く結合させることができる。
【実施例３】
【００４３】
次に、第２実施例の押圧リング部材の構成を変えた第３実施例について説明する。
第２実施例と同一の構成については、同一の符号を用いて図示して説明を省略し、以下相違点を中心に説明する。
【００４４】
図７において、Ａは容器に装着され、内容液を吸い上げるポンプ本体、Ｂａはポンプ本体Ａの上部に装着され、内容液を吐出するノズルヘッド、Ｃａはノズルヘッドの上部に着脱自在に装着される押圧リング部材である。
【００４５】
押圧リング部材Ｃａは、図７、８に示すように、ノズルヘッドＢａの押下げ頭部１０の上部に装着される装着部１５と、押下げ頭部１０に装着した際の吐出ノズル１１を正面側として、装着部１５の両側面側および後面側のそれぞれに連結される連設リブ１６と、内周に連設リブ１６のそれぞれの先端が連結され、装着部１５を囲むように円形に形成される押圧リング２５が設けられている。
装着部１５と押圧リング２５との間には、連設リブ１６により区画された空間が形成されている。
【００４６】
装着部１５は、前記第２実施例と同様に、頂壁１８と外周壁１９とを具え、外周壁１９の所定の位置の下部には、吐出ノズル１１の根本部の上部に接合するように下端から凹設された切欠部２０が形成されている。
押圧リング２５には、押圧リング部材ＣａをノズルヘッドＢａに装着した際に、吐出ノズル１１中間部の外周上部と接合する係合凹部２６を形成した係合部２７が具えられている。
【００４７】
次に、本実施例の吐出ポンプの作用効果について、説明する。
ノズルヘッドＢａに、押圧リング部材Ｃａを装着する際には、ノズルヘッドＢａの上方から、押圧リング部材Ｃａを被せ、ノズルヘッドＢａの押下げ頭部１０の上部に、押圧リング部材Ｃａの装着部１５を装着するとともに、吐出ノズル１１の中間部付近の外周上部に、押圧リング２５の係合凹部２６を係合させることによって、押圧リング部材ＣａがノズルヘッドＢａに装着される。
【００４８】
本実施例の吐出ポンプは、押圧リング部材Ｃａが必要でなければ、押圧リング部材ＣａをノズルヘッドＢａに対して上方に持ち上げることによって、ノズルヘッドＢａの押下げ頭部１０の上部と押圧リング部材Ｃａの装着部１５、および、吐出ノズル１１の中間部付近の外周上部と押圧リング２５の係合凹部２６との係合を外すことができ、押圧リング部材ＣａをノズルヘッドＢａから簡単に外すことができる。
その他の作用効果は、実施例２と同じである。
【００４９】
また、押圧リング部材の変形実施例として、実施例２において説明したものと同様の変形実施例を用いることもでき、同様の作用効果を得ることができる。
【００５０】
前記各実施例では、吐出ポンプとして、ポンプ本体の下方に吸上げパイプを具えたポンプを採用しているが、これに変わるポンプとして、ポンプ本体の吸入弁より容器本体内の内容液を直接吸入し、容器本体内を摺動する中皿を上昇させるようにした吐出ポンプを用いることもできる。
ポンプ本体を容器から取り外して倒立させた場合には、前記各実施例の吸上げパイプを用いた場合よりも安定して立てることができる。
【産業上の利用可能性】
【００５１】
本発明は、ノズルヘッドの上部に、押圧リングを連設、または、押圧リングを形成した部材を装着することにより、ノズルヘッドを押し下げる際に、手指等の掛かりがよくなるとともに、内容液を詰め替える際に、吐出ポンプを押圧リングを介して倒立して立てておくことにより、周りを汚すことを防止することができるので、各種の吐出ポンプに広く利用できるようになった。
【符号の説明】
【００５２】
Ａ          ポンプ本体
Ｂ、Ｂａ    ノズルヘッド
Ｃ、Ｃａ    押圧リング部材
１          取付キャップ
２          ステム
３          吸上げパイプ
５、１０    押下げ頭部
６、１１    吐出ノズル
７、１６    連設リブ
８、１７、２５  押圧リング
１５        装着部
１８        頂壁
１９        外周壁
２０        切欠部
２１        挿入孔
２２、２７  係合部
２３        嵌合突部
２４        嵌合溝
２６        係合凹部
【図１】
0005825958.tif 000002
【図２】
0005825958.tif 000003
【図３】
0005825958.tif 000004
【図４】
0005825958.tif 000005
【図５】
0005825958.tif 000006
【図６】
0005825958.tif 000007
【図７】
0005825958.tif 000008
【図８】
0005825958.tif 000009